(57)【要約】【課題】通信端末をクレードルに装着して使用する際の利便性を向上させることができる通信端末制御方法、通信端末及びクレードルを提供する。【解決手段】通信端末制御方法は、設定入力に応じて通信端末の動作態様の設定内容を記憶する設定記憶ステップと、当該通信端末がクレードルに装着されたことの検知に応じて当該通信端末の動作態様を当該設定内容に基づいて変更する動作変更ステップと、を含む。【選択図】図１０
2013135375.tif 000002
【特許請求の範囲】
【請求項１】
通信端末の動作を制御する通信端末制御方法であって、
設定入力に応じて前記通信端末の動作態様の設定内容を記憶する設定記憶ステップと、
前記通信端末がクレードルに装着されたことの検知に応じて前記通信端末の動作態様を前記設定内容に基づいて変更する動作変更ステップと、を含むことを特徴とする通信端末制御方法。
【請求項２】
前記設定記憶ステップにおいては、前記設定入力に応じて前記通信端末が有するアプリケーションのうちの少なくとも１つを被選択アプリケーションとして記憶し、
前記動作変更ステップにおいては、前記通信端末の動作態様を前記被選択アプリケーションに関する動作態様に変更することを特徴とする請求項１に記載の通信端末制御方法。
【請求項３】
前記被選択アプリケーションに関する動作態様への変更は、前記被選択アプリケーションの実行であることを特徴とする請求項２に記載の通信端末制御方法。
【請求項４】
前記動作態様の変更は、前記通信端末の表示部の表示態様の変更であることを特徴とする請求項１乃至３のうちのいずれか１つに記載の通信端末制御方法。
【請求項５】
前記表示態様の変更は、前記被選択アプリケーションに対応する特定アイコンのみを前記表示部に表示することであることを特徴とする請求項４に記載の通信端末制御方法。
【請求項６】
前記特定アイコンのみの前記表示部への表示においては、前記特定アイコンを拡大表示することを特徴とする請求項５に記載の通信端末制御方法。
【請求項７】
前記被選択アプリケーションは、カーナビゲーションアプリケーション、ドライブレコーダーアプリケーション、電話アプリケーション、音楽再生アプリケーション、テレビアプリケーション及びラジオアプリケーションのうちの少なくとも１つであることを特徴とする請求項２乃至６のうちの何れか１つに記載の通信端末制御方法。
【請求項８】
前記動作態様の変更は、前記被選択アプリケーション関する音声出力先、着信音種類、及び音量のうちの少なくとも１つの変更であることを特徴とする請求項２乃至７のうちの何れか１つに記載の通信端末制御方法。
【請求項９】
前記通信端末がクレードルに装着されたことの検知は、無線通信確立判定、無線電波強度判定、機械的動作判定、非接触通信確立判定、及び通電電流値判定のうちのいずれかに基づいてなされることを特徴とする請求項１乃至８のうちのいずれか１つに記載の通信端末制御方法。
【請求項１０】
前記動作変更ステップの前に前記動作態様の変更前の設定内容を通常時設定内容として保持する設定内容保持ステップと、
前記動作変更ステップの後に前記通信端末が前記クレードルから取外されたことの検知に応じて前記通信端末の動作態様を前記通常時設定内容の動作態様に復帰させる復帰ステップと、を更に含むことを特徴とする請求項１乃至９のうちの何れか1つに記載の通信端末制御方法。
【請求項１１】
通信端末であって、
設定入力に応じて前記通信端末の動作態様の設定内容を記憶する設定記憶部と、
前記通信端末がクレードルに装着されたことの検知に応じて前記通信端末の動作態様を前記設定内容に基づいて変更する動作変更部と、を含むことを特徴とする通信端末。
【請求項１２】
通信端末を保持する端末保持部と、
前記端末保持部を車内の所定部位に固定する固定部と、を含むクレードルであって、
前記通信端末が前記端末保持部によって保持されたことを検知する装着検知部と、
前記装着検知部による当該検知に応じて検知通知を前記通信端末に伝達する検知伝達部と、を含むことを特徴とするクレードル。
【発明の詳細な説明】
【技術分野】
【０００１】
本発明は、スマートフォン等の通信端末、当該通信端末を保持するクレードル、及び当該通信端末の制御方法に関する。
【背景技術】
【０００２】
従来より、車内等に設置され、スマートフォン等の通信端末を保持するクレードルが知られている（例えば特許文献１）。一般的に、通信端末は例えばカーナビゲーション用や音楽再生用などのための複数のアプリケーションを有している。通信端末をクレードルに装着した後にアプリケーションを実行する場合には、ユーザーが通信端末の操作画面に触れてアプリケーションの選択から実行までの一連の操作を行なっていた。
【先行技術文献】
【特許文献】
【０００３】
【特許文献１】特開２０１１−９７３０１号公報
【発明の概要】
【発明が解決しようとする課題】
【０００４】
ところで、通信端末が有するアプリケーション数は数百にも及ぶ場合があるが、車内に設置されたクレードルに通信端末を装着した状態でユーザーが実行したいと望むアプリケーションの種類は通常数個である。かかる状況の下でユーザーが通信端末をクレードルに装着する度に、数多くのアプリケーションの中から実行すべきアプリケーションを探し出して実行することは面倒である。
【０００５】
また、アプリケーションの選択や実行のためにユーザーが運転中に通信端末の画面を注視したり、通信端末を操作する行為は道路交通法に抵触する行為であり、交通事故の原因ともなり得る。故にユーザーは運転開始前に例えばカーナビゲーションなどの所望のアプリケーションを手動で選択して起動する必要があり、自動車に乗ってもすぐに発進することができなかった。
【０００６】
また、アプリケーションの選択や起動だけでなく、例えば着信設定、音量設定、マナーモード設定、ハンズフリー機能設定などの設定についても運転前に行なわなければならず、非常に不便であった。
【０００７】
本発明は上記した如き問題点に鑑みてなされたものであって、通信端末をクレードルに装着して使用する際の利便性を向上させることができる通信端末制御方法、通信端末及びクレードルを提供することを目的とする。
【課題を解決するための手段】
【０００８】
本発明による通信端末制御方法は、通信端末の動作を制御する通信端末制御方法であって、設定入力に応じて前記通信端末の動作態様の設定内容を記憶する設定記憶ステップと、前記通信端末がクレードルに装着されたことの検知に応じて前記通信端末の動作態様を前記設定内容に基づいて変更する動作変更ステップと、を含むことを特徴とする。
【０００９】
本発明による通信端末は、設定入力に応じて前記通信端末の動作態様の設定内容を記憶する設定記憶部と、前記通信端末がクレードルに装着されたことの検知に応じて前記通信端末の動作態様を前記設定内容に基づいて変更する動作変更部と、を含むことを特徴とする。
【００１０】
本発明によるクレードルは、通信端末を保持する端末保持部と、前記端末保持部を車内の所定部位に固定する固定部と、を含むクレードルであって、前記通信端末が前記端末保持部によって保持されたことを検知する装着検知部と、前記装着検知部による当該検知に応じて検知通知を前記通信端末に伝達する検知伝達部と、を含むことを特徴とする。
【発明の効果】
【００１１】
本発明による通信端末制御方法、通信端末及びクレードルによれば、通信端末をクレードルに装着して使用する際の利便性を向上させることができる。
【図面の簡単な説明】
【００１２】
【図１】本発明の実施例である通信端末を示す図である。
【図２】第１の実施例であるクレードルを示す図である。
【図３】図１の通信端末を図２のクレードルに装着したときの図である。
【図４】図１の通信端末の構成を示すブロック図である。
【図５】図２のクレードルの構成を示すブロック図である。
【図６】通常動作時における通信端末の画面の一例を示す図である。
【図７】支援アプリケーションを起動した状態における画面の一例を示す図である。
【図８】装着時動作態様の設定画面の一例を示す図である。
【図９】アプリケーション設定画面の一例を示す図である。
【図１０】端末制御ルーチンを示すフローチャートである。
【図１１】装着時端末動作ルーチンを示すフローチャートである。
【図１２】ブルートゥース（登録商標）通信による装着検出時におけるクレードル動作ルーチンを示すフローチャートである。
【図１３】第２の実施例であるクレードルの構成を示すブロック図である。
【図１４】ブルートゥース電波強度による装着検出時におけるクレードル動作ルーチンを示すフローチャートである。
【図１５】第３の実施例であるクレードルの構成を示すブロック図である。
【図１６】検出スイッチによる装着検出時におけるクレードル動作ルーチンを示すフローチャートである。
【図１７】検出スイッチ監視サブルーチンを示すフローチャートである。
【図１８】第４の実施例であるクレードル構成を示すブロック図である。
【図１９】非接触近距離通信手段による装着検出時におけるクレードル動作ルーチンを示すフローチャートである。
【図２０】非接触近距離通信手段による通信監視サブルーチンを示すフローチャートである。
【図２１】第５の実施例であるクレードルの構成を示すブロック図である。
【図２２】通電電流による装着検出時におけるクレードル動作ルーチンを示すフローチャートである。
【図２３】通電電流監視サブルーチンを示すフローチャートである。
【発明を実施するための形態】
【００１３】
以下、本発明に係る実施例について添付の図面を参照しつつ詳細に説明する。
＜第１の実施例＞
図１には、本実施例である通信端末１０が示されている。通信端末１０は、例えばスマートフォンや携帯型タブレット端末であり、無線通信機能を備えている。通信端末１０がスマートフォンである場合には、スピーカ１２ａ及びマイク１２ｂを備えている。また、通信端末１０は、例えばカーナビゲーションや音楽再生等のための複数のアプリケーションを有している。通信端末１０の表示部１１は、例えばアプリケーションのアイコンなどの各種情報の表示やアプリケーションの選択及び実行などの各種操作の用に供するタッチパネル式のディスプレイである。
【００１４】
図２には、本発明の実施例であるクレードル２０が示されている。クレードル２０は、例えばダッシュボード上など車内に設置され、スマートフォン等の通信端末１０を保持する装置である。クレードル２０には、通信端末１０の背面を背面側から支える背面支持部２１ａと、通信端末１０を側面から固定する側面固定部２１ｃと、通信端末１０の下底を下側から支える下底支持部２１ｂとからなる端末保持部２１が設けられている。また、クレードル２０には、端末保持部２１を例えばダッシュボード上などの車内の部材に固定するための固定部２２が設けられている。固定部２２には、端末保持部２１と固定部２２との間の角度を調製するための角度調整つまみ２２ａが設けられている。また、クレードル２０には、例えば自動車のＡＣＣ電源やＩＧ電源などから電源供給を受ける受電部２３が設けられている。
【００１５】
図３には、通信端末１０をクレードル２０に装着したときの状態が示されている。通信端末１０は、背面が背面支持部２１ａによって支持され、側面が側面固定部２１ｃによって固定され、下底が下底支持部２１ｂによって支持されて、表示部１１が見えるように端末保持部２１に保持されている。
【００１６】
以下、図４を参照しつつ、通信端末１０の内部機構及び機能について説明する。
【００１７】
表示部１１は、各種情報の表示や各種操作や設定の用に供するタッチパネル式のディスプレイである。
【００１８】
スピーカ１２ａは、通信端末１０が有するアプリケーションの実行に応じて再生音楽や通話音声などの音を出力する。
【００１９】
無線通信部１３は、クレードル２０との間で無線通信を確立して、例えばブルートゥースや無線ＬＡＮにより無線通信を行なうことができる。
【００２０】
設定記憶部１４は、通信端末１０の動作態様の設定内容を記憶する。詳細には、通信端末１０がクレードル２０に装着された状態における通信端末１０の動作態様（以下、装着時動作態様と称する）の設定内容（以下、装着時設定内容と称する）を記憶する。ユーザーは、表示部１１へのタッチ操作により、装着時動作態様を設定することができる。
【００２１】
また、設定記憶部１４は、通信端末１０がクレードル２０に装着される時点における通信端末１０の現在の動作態様すなわち通常動作時の動作態様の設定内容（以下、通常時設定内容と称する）を、動作態様変更部１５の指令に応じて記憶することもできる。設定記憶部１４は、例えばＲＡＭやハードディスク等の記憶装置により構成される。
【００２２】
動作態様変更部１５は、無線通信部１３によるクレードル２０との間の無線通信の確立に応じて、設定記憶部１４に記憶されている装着時設定内容に基づいて通信端末１０の動作態様を変更する。動作態様変更部１５は、クレードル２０からの端末装着検知通知（後述）に応じて、装着時設定内容に基づいて通信端末１０の動作態様を変更することもできる。動作態様の変更としては、例えば、表示部１１の画面上の表示態様の変更、特定のアプリケーションの起動、音量の変更などが挙げられる。
【００２３】
また、動作態様変更部１５は、当該動作態様の変更に先立って、通常時設定内容を設定記憶部１４に記憶させることもできる。この場合、動作態様変更部１５は、装着時設定内容に基づいて通信端末１０の動作態様を変更した後、通信端末１０がクレードル２０から取外されたことを検知したときに、通常時設定内容に基づいて通信端末１０の動作態様を変更する。すなわち、動作態様変更部１５は、無線通信部１３とクレードル２０との間の無線通信切断時に通信端末１０の動作態様を、動作態様変更前の通常時設定内容に復帰させる。
【００２４】
動作態様変更部１５は、例えば、無線通信部１３によるクレードル２０との間の無線通信が切断されたことをもって、通信端末１０がクレードル２０から取外されたことの検知とする。また、動作態様変更部１５は、例えば、無線通信部１３がクレードル２０の無線通信部２４から取外し検知通知を受信したことをもって当該検知とすることもできる。動作態様変更部１５は、支援アプリケーションにより構成されることができる。
【００２５】
以下、図５を参照しつつ、クレードル２０の内部機構及び機能について説明する。
【００２６】
端末保持部２１は、通信端末１０を保持する機構である。具体的な形状は図２に示されている。
【００２７】
固定部２２は、端末保持部２１を例えばダッシュボード上などの車内の部材に固定する。具体的な形状は図２に示されている。
【００２８】
受電部２３は、例えば自動車のＡＣＣ電源やＩＧ電源などから電源供給を受ける。供給された電源はクレードル２０の各種機能の動作のために用いられる。
【００２９】
無線通信部２４は、通信端末１０の無線通信部１３との間で無線通信を確立して、例えばブルートゥースや無線ＬＡＮにより無線通信を行なうことができる。無線通信部２４は、下記の装着検知部２５による検知を端末装着検知通知として通信端末１０の無線通信部１３に通知することもできる。以下、無線通信部２４を検知伝達部とも称する。
【００３０】
装着検知部２５は、通信端末１０が固定部２２に装着されたことを検知する。例えば無線通信部２４による通信端末１０との間の無線通信の確立をもって当該検知とする。装着検知部２５は、当該検知をしたときには端末装着検知通知を無線通信部２４から通信端末１０に向けて発する。
【００３１】
また、装着検知部２５は、通信端末１０が固定部２２から取外されたことを検知することもできる。例えば無線通信部２４による通信端末１０との間の無線通信の切断をもって当該検知とする。装着検知部２５は、当該検知をしたときには取外し検知通知を無線通信部２４から通信端末１０に向けて発する。
【００３２】
音声制御部２６は、装着検知部２５による検知結果に応じてスピーカ２７及びマイク２８の音量等を制御する。
【００３３】
スピーカ２７は、通信端末１０からの無線信号に基づく再生音楽や通話音声などの音を出力する。なお、無線信号は無線通信部１３によって受信される。
【００３４】
マイク２８は、ユーザーの発声音を集音する。集音された音は無線通信部２４により無線信号として通信端末１０に送信される。スピーカ２７とマイク２８を備えることにより、ハンズフリー通話が可能となる。
【００３５】
以下、図６〜９を参照しつつ、装着時動作態様の設定について説明する。
【００３６】
ユーザーは、通信端末１０をクレードル２０に装着する前に、通信端末１０が有する支援アプリケーションを起動して装着時動作態様を設定することができる。
【００３７】
図６には、通常動作時における通信端末１０の表示部１１の画面の一例が示されている。画面上には２０個のアイコン３０が表示されている。これらのアイコン３０の中には、通信端末１０をクレードル２０に装着した状態で実行しないアプリケーションについてのものも含まれている。ユーザーは、支援アプリケーションにより、装着時状態で実行すべきアプリケーションを予め選択することができる。
【００３８】
図７には、支援アプリケーションを起動した状態における表示部１１の画面の一例が示されている。画面上には６個のアイコン３１と共に設定アイコン３２が表示されている。アイコン３１は、例えば、カーナビゲーション（ナビ）、ドライブレコーダー（ドラレコ）、電話、音楽、テレビ、ラジオなど、通信端末１０をクレードル２０に装着した状態で実行することが想定されるアプリケーションである。アイコン３１は、通常動作時に表示部１１に表示されるアイコン３０（図６）に比較して拡大表示されている。ユーザーは、設定アイコン３２にタッチして装着時動作態様の設定画面に移行することができる。
【００３９】
図８には、装着時動作態様の設定画面の一例が示されている。画面上には設定項目を示すアイコン３３ａ〜３３ｇが示されている。ユーザーは、アイコン３３ａ〜３３ｇのいずれかにタッチして、例えば以下の設定をすることができる。
【００４０】
アプリケーション設定３３ａにおいては、装着時に画面表示すべきアプリケーションの選択設定等を行なうことができる。音声出力先設定３３ｂにおいては、通信端末１０のスピーカ１２ａとクレードル２０のスピーカ２７のうちのどちらから音声を出力するかを設定できる。音量設定３３ｃにおいては、スピーカ１２ａ及び／又はスピーカ２７の音量を設定できる。着信設定３３ｄにおいては、着信音を発するか否かの設定や着信音の種類の選択設定など着信時の動作態様を設定できる。装着検知設定３３ｅにおいては、通信端末１０がクレードル２０に装着されたことをどのような方法により検知するのかを選択することができる。起動／終了設定３３ｆにおいては、通信端末１０がクレードル２０に装着されたときに支援アプリケーションを起動するか否かや、支援アプリケーションの終了条件等を設定できる。無線通信設定３３ｇにおいては、例えばブルートゥースや無線ＬＡＮなどの、クレードル２０との間で無線通信する際の無線機能を選択設定できる。
【００４１】
図９には、アプリケーション設定３３ａをタッチしたときに表示されるアプリケーション設定画面の一例が示されている。画面上にはアプリケーションについての設定項目を示すアイコン３４ａ〜３４ｄが示されている。ユーザーは、アイコン３４ａ〜３４ｄのいずれかにタッチして、例えば以下の設定をすることができる。
【００４２】
表示アプリケーション選択３４ａにおいては、装着時に画面表示すべきアプリケーションを選択設定できる。起動アプリケーション選択３４ｂにおいては、装着時に起動すべきアプリケーションを選択設定できる。以下、選択設定されたアプリケーションを被選択アプリケーションと称する。アイコンサイズ選択３４ｃにおいては、画面表示すべきアプリケーションに対応するアイコンの表示サイズを設定できる。アイコン配置３４ｄにおいては、アイコンの配置の順序や位置を設定できる。
【００４３】
これらの設定は、装着時設定内容として設定記憶部１４に記憶される。アプリケーションについてのこれらの設定に従って、例えば図７に示されるように、支援アプリケーションの起動画面上にアイコン３１が表示される。通常、これらのアイコン３１は、通信端末１０をクレードル２０に装着した状態で実行すべきアプリケーションに対応するものである。
【００４４】
以下、図１０を参照しつつ、通信端末１０をクレードル２０に装着するとき、及び当該装着後に通信端末１０をクレードル２０から取外すときの端末制御動作について説明する。
【００４５】
ユーザーは、装着時設定内容を通信端末１０の表示部１１へのタッチ操作により入力することができる。通信端末１０の設定記憶部１４は、当該設定入力に応じて装着時設定内容を記憶する（ステップＳ１１）。
【００４６】
次に、通信端末１０がクレードル２０に装着されたことを検知する（ステップＳ１２）。当該検知は、クレードル２０の装着検知部２５が、無線通信確立判定、無線電波強度判定、機械的動作判定、非接触近距離通信確立判定、及び通電電流値判定のうちのいずれかに基づいて行なう。これらの判定の詳細については後述する（図１２〜図２３参照）。また、通信端末１０の無線通信部１３がクレードル２０の無線通信部２４との間で無線通信を確立したことをもって当該検知とすることもできる。
【００４７】
次に、当該検知に応じて通信端末１０の動作態様を、ステップＳ１１において設定記憶部１４に記憶された装着時設定内容に基づいて変更する（ステップＳ１３）。当該変更の詳細については後述する（図１１参照）。また、動作態様の変更に先立って、通常時設定内容を一時的に記憶する。
【００４８】
次に、クレードル２０から通信端末１０が取外されたことを検知する（ステップＳ１４）。通信端末１０の動作態様変更部１５は、クレードル２０との間の無線通信が切断されたことをもって、又は、クレードル２０の無線通信部２４から取外し検知通知を受信したことをもって当該取外しの検知とすることができる。当該検知の詳細については後述する（図１１参照）。また、クレードル２０の装着検知部２５が、無線通信確立判定、無線電波強度判定、機械的動作判定、非接触近距離通信確立判定、及び通電電流値判定のうちのいずれかに基づいて当該検知を行なって検知結果を通信端末に通知することもできる。これらの判定の詳細については後述する（図１２〜図２３参照）。
【００４９】
次に、当該検知に応じて通信端末１０の動作態様を、ステップＳ１３において設定記憶部１４に記憶された通常時設定内容に基づいて変更する（ステップＳ１５）。すなわち、動作態様を通常時設定内容に従って復帰させる。当該変更の詳細については後述する（図１１参照）。
【００５０】
以下、図１１を参照しつつ、クレードル２０への装着時における通信端末１０の動作について説明する。
【００５１】
先ず、ユーザーは、通信端末１０が有する支援アプリケーションを起動する（ステップＳ１０１）。支援アプリケーションは、バックグラウンドで動作し待機状態にある。
【００５２】
また、ユーザーは、例えばブルートゥースや無線ＬＡＮなどの無線機能を動作させ、無線通信部１３による無線通信が可能な状態とする（ステップＳ１０２）。
【００５３】
無線通信部１３は、これらの無線機能により、ペアクレードルを検索する（ステップＳ１０３）。
【００５４】
無線通信部１３は、ペアクレードルを検知できたときには、当該ペアクレードルとの間で無線通信を確立する（ステップＳ１０４）。詳細には、クレードル２０の無線通信部２４との間で無線通信を確立する（ステップＳ１０５）。無線通信部１３は、ペアクレードルを検知できるまで当該検索を反復する（ステップＳ１０３及びＳ１０４）。
【００５５】
動作態様変更部１５は、無線通信部１３によるクレードル２０との間の無線通信の確立に応じて、通常時設定内容を設定記憶部１４に一時的に記憶させる（ステップＳ１０６）。
【００５６】
次に、動作態様変更部１５は、設定記憶部１４に記憶されている装着時設定内容に基づいて通信端末１０の動作態様を変更する（ステップＳ１０７）。動作態様変更部１５は、クレードル２０からの端末装着検知通知に応じて、装着時設定内容に基づいて通信端末１０の動作態様を変更することもできる。
【００５７】
例えば、通常時設定内容に基づく画面表示態様（図６）から装着時設定内容に基づく画面表示態様（図７）に変更される。すなわち、動作態様変更部１５は、端末装着時には実行されないアプリケーションに対応するアイコンを含む２０個のアイコン３０が表示されている画面（図６）から、端末装着時に実行され得る所定のアプリケーションに対応する６個のアイコン３１のみを比較的大きいサイズで表示する画面（図６）に表示態様を変更する。かかる変更は、バックグラウンドで動作していた支援アプリケーションをフォアグラウンドに移行することによって実現できる。
【００５８】
また、動作態様変更部１５は、装着時設定内容において指定されている例えばカーナビゲーションなどの特定のアプリケーションを起動し実行しても良い。動作態様変更部１５は、音声出力先を通信端末１０のスピーカ１２ａからクレードル２０のスピーカ２７に変更することもできる。また、動作態様変更部１５は、装着時設定内容に従って通話又は音楽再生の音量変更設定や、着信音の変更設定を行なうこともできる。
【００５９】
なお、動作態様変更部１５は、クレードル２０からの端末装着検知通知に応じて、通常時設定内容の記憶（ステップＳ１０６）、及び装着時設定内容に基づく動作態様の変更（ステップＳ１０７）をすることもできる。
【００６０】
ユーザーは、表示部１１に表示されているアイコン３１（図７）のうちから、実行したいアプリケーションに対応するものをタッチ操作により選択することができる（ステップＳ１０８）。
【００６１】
動作態様変更部１５は、当該選択操作に応じて当該アプリケーションを実行せしめる（ステップＳ１０９）。これに伴い、動作態様変更部１５は待機状態となる。すなわち、当該アプリケーションがフォアグラウンドで実行され、支援アプリケーションは再びバックグラウンドで待機する。なお、動作態様変更部１５は、当該アプリケーションが終了したことを検知した場合には、表示部１１の表示態様を図７ように変更する。すなわち、支援アプリケーションが再びフォアグラウンドで実行される。
【００６２】
動作態様変更部１５は、通信端末１０がクレードル２０から取外されたか否かを判別する（ステップＳ１１０）。動作態様変更部１５は、無線通信部１３によるクレードル２０との間の無線通信が切断されたことをもって、又は、クレードル２０の無線通信部２４から取外し検知通知を受信したことをもって当該取外しの検知とすることができる。動作態様変更部１５は、取外しを検知した場合に、設定記憶部１４に記憶されている通常時設定内容に基づいて通信端末１０の動作態様を変更する（ステップＳ１１１）。すなわち、通信端末１０の動作態様を、動作態様変更前の通常時設定内容に復帰させる。
【００６３】
動作態様変更部１５は、例えば、表示部１１の表示態様を図７から図６に変更する。かかる変更は、支援アプリケーションがバックグラウンドで実行されることによってなされる。また、動作態様変更部１５は、音声出力先をクレードル２０のスピーカ２７から通信端末１０のスピーカ１２ａに変更することもできる。また、動作態様変更部１５は、通常時設定内容に従って通話又は音楽再生の音量変更設定や、着信音の変更設定を変更前の状態に戻すこともできる。また、動作態様変更部１５は、現在実行されている例えばカーナビゲーションなどの特定のアプリケーションを強制的に終了させることもできる。
【００６４】
無線通信部１３は、無線機能によるペアクレードルの検索を再び実行する（ステップＳ１０３）。以下、上記と同様の動作が実行される。
【００６５】
以下、図１２を参照しつつ、ブルートゥース通信による装着検出時におけるクレードル２０の動作について説明する。
【００６６】
先ず、受電部２３を例えば自動車のＡＣＣ電源やＩＧ電源に接続して電源を投入する（ステップＳ２０１）。
【００６７】
電源供給を受けて無線通信部２４がブルートゥース通信機能として起動する（ステップＳ２０２）。
【００６８】
無線通信部２４は、ブルートゥース通信機能によってペアリングされた通信端末（以下、ペア端末と称する）を検索する（ステップＳ２０３）。無線通信部２４と通信端末１０の無線通信部１３とは、ブルートゥース通信機能によるペアリングが既になされているものとする。
【００６９】
無線通信部２４は、通信端末１０をペアリング端末として検知し（ステップＳ２０３）、通信端末１０の無線通信部１３との間でブルートゥースによる無線通信を確立する（ステップＳ２０４）。
【００７０】
装着検知部２５は、無線通信部２４による無線通信の確立をもって通信端末１０が固定部２２に装着されたことの検知とする。装着検知部２５は、当該検知をしたときに端末装着検知通知を無線通信部２４から通信端末１０に向けて発することもできる（ステップＳ２０５）。
【００７１】
無線通信部２４は、通信端末１０におけるアプリケーションの実行に伴って無線通信部１３から送信される無線信号を受信する（ステップＳ２０６）。例えば、当該アプリケーションが音楽再生アプリケーションであり、当該無線信号が例えば音量変更を示す内容である場合、音声制御部２６は、当該無線信号の内容に応じてスピーカ２７の音量を変更する。
【００７２】
また、例えば、実行されるアプリケーションが音声通話アプリケーションである場合には、音声出力先をスピーカ２７に切換えて当該無線信号が示す音声をスピーカ２７から出力する。また、無線通信部２４は、マイク２８により集音した発話音を無線信号として通信端末１０の無線通信部１３に送信する。かかる動作により、ハンズフリー通話が可能となる。
【００７３】
装着検知部２５は、無線通信部２４と通信端末１０との間のブルートゥースによる無線通信の切断がなされたか否かを判別する（ステップＳ２０７）。装着検知部２５は、当該通信切断を検出したことをもって、通信端末１０が固定部２２から取外されたことの検知とする。
【００７４】
装着検知部２５は、当該検知をしたときに取外し検知通知を無線通信部２４から通信端末１０に向けて発することもできる（ステップＳ２０８）。
【００７５】
無線通信部２４は、無線機能によるペアクレードルの検索を再び実行する（ステップＳ２０３）。以下、上記と同様の動作が実行される。
【００７６】
上記したように、本実施例の通信端末１０は、クレードル２０との間の無線通信の確立又はクレードル２０からの端末装着検知通知をもって自身がクレードル２０に装着されたことを検知して例えば画面表示などの動作態様を変更することができる。また、本実施例のクレードル２０は、無線通信機能を有し、通信端末１０との間で無線通信を確立することができ、自身に通信端末１０が装着されたことを検知して当該検知の通知を通信端末１０に発することもできる。
【００７７】
かかる構成により、通信端末１０をクレードル２０に装着して使用する際の利便性を大幅に向上させることができる。例えば、一度、装着時設定内容を記憶させれば、ユーザーが数多くのアプリケーションの中から実行すべきアプリケーションを探し出して実行するという作業を乗車の度に行う必要がなくなる。例えばカーナビゲーションなどの所望のアプリケーションをユーザーが運転開始前に手動で選択して起動する手間が省け、煩雑な操作が不要となる。また、動作態様変更後には必要なアプリケーションについてのアイコンのみが拡大表示されるので、通信端末１０がクレードル２０に装着された状態でのユーザーによるアプリケーション選択が楽になる。
【００７８】
また、アプリケーションの起動だけでなく、例えば着信設定、音量設定、マナーモード設定、ハンズフリー機能設定などの設定についても通信端末１０をクレードル２０に装着した時点で自動的に変更されるので、手間が省けるだけでなく設定の切換え忘れを防止することもできる。
【００７９】
更に、アプリケーションの選択や実行のためにユーザーが運転中に通信端末の画面を注視したり、通信端末を操作する必要が無くなるので、交通事故の防止にも役立つ。例えば、ハンズフリー機能を起動した場合には、通信端末１０を手に持って通話する必要がなくなるので、道路交通法に抵触することなく通話することが可能となる。
【００８０】
また、通信端末１０をクレードル２０から取外した場合には、動作態様変更前の通常設定に自動的に復帰するので、手動で通常設定に戻す手間が省け、設定の切り替え忘れも無くなる。
【００８１】
このように、本実施例の構成によれば、通信端末１０をクレードル２０に装着して使用する際の利便性を大幅に向上させることができる。また、本実施例の構成によれば、交通事故の防止し、安全走行に寄与するという効果も奏する。
＜第２の実施例＞
以下、図１３及び図１４を参照しつつ、装着検知部２５がブルートゥース電波強度に基づいて通信端末１０の装着検出をする場合のクレードル２０の動作について説明する。クレードル２０は、電波強度測定部４０を更に備える。電波強度測定部４０は、無線通信部２４と通信端末１０との間のブルートゥース通信の電波強度を測定する。通信端末１０の構成（図１及び図４）及び動作（図１１）、並びにクレードル２０のその他の構成（図２及び図５）については第１の実施例と同様である。以下、第１の実施例と異なる部分について主に説明する。
【００８２】
ステップＳ３０１〜Ｓ３０３は第１の実施例のステップＳ２０１〜Ｓ２０３と同様である。
【００８３】
装着検知部２５は、無線通信部２４が通信端末１０をペアリング端末として検知した場合（ステップＳ３０３）、電波強度測定部４０によって測定された電波強度が規定値以上か否かを判別する（ステップＳ３０４）。電波強度が規定値よりも小さい場合にはステップＳ３０３に戻る。電波強度が規定値以上である場合には、無線通信部２４は、通信端末１０との間で無線通信を確立する（ステップＳ３０５）。装着検知部２５は、当該無線通信の確立をもって通信端末１０がクレードル２０に装着されたことの検知とする。
【００８４】
ステップＳ３０６〜Ｓ３０９は第１の実施例のステップＳ２０５〜Ｓ２０８と同様である。
【００８５】
このように、本実施例のクレードル２０は、通信端末１０との間のブルートゥース通信の電波強度が規定値以上である場合に通信端末１０との間で無線通信を確立する。かかる構成によれば、例えば通信端末１０が車室外にある場合などの電波強度が規定値よりも小さい状況下においては、通信端末１０との間で無線通信を確立しない。故に、通信端末１０がクレードル２０に装着されていないにもかかわらず、装着時設定内容で指定された特定のアプリケーションが起動してしまうなど通信端末１０の動作態様が変更されてしまうことを防止できる。
＜第３の実施例＞
以下、図１５及び図１６を参照しつつ、装着検知部２５が検出スイッチ４１により通信端末１０の装着検出をする場合のクレードル２０の動作について説明する。クレードル２０は、検出スイッチ４１を備える（図１５）。検出スイッチ４１は、例えば背面支持部２１ａに設けられ、通信端末１０が端末保持部２１に保持されたときに通信端末１０の背面部により押下されてスイッチオンする機械的機構として設けられる。装着検知部２５は、スイッチオンされたことを電位変動により検出する。なお、検出スイッチ４１は側面固定部２１ｃや下底支持部２１ｂに設けられても良い。
【００８６】
通信端末１０の構成（図１及び図４）及び動作（図１１）、並びにクレードル２０のその他の構成（図２及び図５）については第１の実施例と同様である。以下、第１の実施例と異なる部分について主に説明する。
【００８７】
ステップＳ４０１〜Ｓ４０２は第１の実施例のステップＳ２０１〜Ｓ２０２と同様である。
【００８８】
装着検知部２５は、検出スイッチ４１の機能が有効になっているか否かを判別する（ステップＳ４０３）。装着検知部２５は、検出スイッチ４１の機能が有効になっていると判別した場合には、検出スイッチ４１がオンになっているか否かを判別する（ステップＳ４０４）。
【００８９】
装着検知部２５は、検出スイッチがオンになっていると判別した場合には、無線通信部２４に対して通信端末１０との間の無線通信確立を指令する。無線通信部２４は、当該指令に応じて通信端末１０との間で無線通信を確立する（ステップＳ４０５）。
【００９０】
ステップＳ４０６〜Ｓ４０９は第１の実施例のステップＳ２０５〜Ｓ２０８と同様である。
【００９１】
このように、本実施例のクレードル２０は、検出スイッチ４１を備え、端末保持部２１に通信端末１０が保持されたことにより検出スイッチ４１がオンした場合に通信端末１０との間で無線通信を確立する。かかる構成によれば、通信端末１０がクレードル２０に装着されていないにもかかわらず、装着時設定内容で指定された特定のアプリケーションが起動してしまうなど通信端末１０の動作態様が変更されてしまうことを確実に防止できる。
【００９２】
以下、図１７を参照しつつ、検出スイッチ監視サブルーチンについて説明する。当該サブルーチンは、ブルートゥースによるペア端末との通信接続確立（図１６のメインルーチンのステップＳ４０５）の後、装着検知部２５により定期的に実行される。
【００９３】
先ず、装着検知部２５は、図１６のメインルーチンに対してタイマー割り込みを行なう（ステップＳ４１１）。
【００９４】
装着検知部２５は、検出スイッチにより通信端末１０を検出したか、すなわちスイッチオンの状態であるか否かを判別する（ステップＳ４１２）。
【００９５】
装着検知部２５は、スイッチオンの状態である場合には、タイマーをリセットして当該ルーチンを終了する（ステップＳ４１３）。
【００９６】
装着検知部２５は、検出スイッチにより通信端末１０を検出しなかった場合、すなわちスイッチオフの状態である場合には、ブルートゥース通信を切断し（ステップＳ４１４）、図１６のメインルーチンのステップＳ４０９に移行する（ステップＳ４１５）。
【００９７】
かかる動作により、通信端末１０がクレードル２０の端末保持部２１に装着されているか否かを検出スイッチにより定期的に判別し、通信端末１０が端末保持部２１から取り外された場合には、ブルートゥース通信を切断することができる。そして、通信端末１０に対して端末取外し検知通知を発することにより（メインルーチンのステップＳ４０９）、通信端末１０の動作態様を通常時設定内容に従って復帰させることができる。
＜第４の実施例＞
以下、図１８及び図１９を参照しつつ、装着検知部２５が非接触近距離通信手段により通信端末１０の装着検出をする場合のクレードル２０の動作について説明する。クレードル２０は、通信端末１０の装着を非接触で検知する非接触近距離通信部４２を更に有する（図１８）。非接触近距離通信手段としては、例えばＦｅｌｉｃａ（登録商標）又はＮＦＣ（Near Field Communication）通信が挙げられる。通信端末１０の構成（図１及び図４）及び動作（図１１）、並びにクレードル２０のその他の構成（図２及び図５）については第１の実施例と同様である。以下、第１の実施例と異なる部分について主に説明する。
【００９８】
ステップＳ５０１〜Ｓ５０２は第１の実施例のステップＳ２０１〜Ｓ２０２と同様である。
【００９９】
非接触近距離通信部４２は、Ｆｅｌｉｃａ等の非接触近距離通信手段を起動する（ステップＳ５０３）。以下、非接触近距離通信手段をＦｅｌｉｃａとして説明する。
【０１００】
非接触近距離通信部４２は、予め登録されたＩＤを用いてＦｅｌｉｃａにより通信端末１０との間で通信の確立を試みる（ステップＳ５０４）。
【０１０１】
装着検知部２５は、非接触近距離通信部４２がＦｅｌｉｃａにより通信端末１０との間で通信を確立した場合には、ブルートゥースによる通信端末１０との間の通信接続確立を無線通信部２４に指示する。
【０１０２】
無線通信部２４は、当該指示に応じてペア端末を検索し（ステップＳ５０５）、通信端末１０をペア端末として検知した場合には、ブルートゥースによる通信端末１０との間の通信接続を確立する（ステップＳ５０６）。
【０１０３】
ステップＳ５０７〜Ｓ５１０は第１の実施例のステップＳ２０５〜Ｓ２０８と同様である。
【０１０４】
このように、本実施例のクレードル２０は、例えばＦｅｌｉｃａなどの非接触近距離通信手段を備え、当該手段により通信端末１０がクレードル２０に保持されたことを検出した場合に通信端末１０との間で無線通信を確立する。かかる構成によれば、通信端末１０がクレードル２０に装着されていないにもかかわらず、装着時設定内容で指定された特定のアプリケーションが起動してしまうなど通信端末１０の動作態様が変更されてしまうことを確実に防止できる。しかも、通信端末１０がクレードル２０に装着されたことを検知する機械的構造を設ける必要がないので、設計が簡単であり、コスト面でも有利である。
【０１０５】
以下、図２０を参照しつつ、非接触近距離通信手段による通信監視サブルーチンについて説明する。当該サブルーチンは、ブルートゥースによるペア端末との通信接続確立（図１９のメインルーチンのステップＳ５０７）の後、装着検知部２５により定期的に実行される。
【０１０６】
先ず、装着検知部２５は、図１９のメインルーチンに対してタイマー割り込みを行なう（ステップＳ５１１）。
【０１０７】
装着検知部２５は、Ｆｅｌｉｃａにより通信端末１０を検出したか、すなわち予め登録されたＩＤによる認証を行なうことができたか否かを判別する（ステップＳ５１２）。
【０１０８】
装着検知部２５は、通信端末１０を検出した場合には、タイマーをリセットして当該ルーチンを終了する（ステップＳ５１３）。
【０１０９】
装着検知部２５は、検出スイッチにより通信端末１０を検出しなかった場合には、ブルートゥース通信を切断し（ステップＳ５１４）、図１９のメインルーチンのステップＳ５１０に移行する（ステップＳ５１５）。
【０１１０】
かかる動作により、通信端末１０がクレードル２０の端末保持部２１に装着されているか否かを非接触近距離通信手段により定期的に判別し、通信端末１０が端末保持部２１から取り外された場合には、ブルートゥース通信を切断することができる。そして、通信端末１０に対して端末取外し検知通知を発することにより（メインルーチンのステップＳ５１０）、通信端末１０の動作態様を通常時設定内容に従って復帰させることができる。
＜第５の実施例＞
以下、図２１及び図２２を参照しつつ、装着検知部２５が通電電流により通信端末１０の装着検出をする場合のクレードル２０の動作について説明する。クレードル２０は、端末充電用電源４３及び端末充電コネクタ４４（図２１）を更に備える。装着検知部２５は、通信端末１０の充電用端子（図示せず）が端末充電コネクタ４４に接続されたときの通電電流を検知する通電電流検出手段を有する。装着検知部２５は、通電電流の検知をもって通信端末１０の装着の検知とする。通信端末１０の構成（図４）及び動作（図１１）、並びにクレードル２０のその他の構成（図５）については第１の実施例と同様である。以下、第１の実施例と異なる部分について主に説明する。
【０１１１】
ステップＳ６０１〜Ｓ６０２は第１の実施例のステップＳ２０１〜Ｓ２０２と同様である。
【０１１２】
装着検知部２５は、通信端末１０への通電電流が規定値以上であるか判別する（ステップＳ６０３）。通電電流が規定値以上である場合には、装着検知部２５は、ブルートゥースによる通信端末１０との間の通信接続確立を無線通信部２４に指示する。
【０１１３】
無線通信部２４は、当該指示に応じてペア端末を検索し（ステップＳ６０４）、通信端末１０をペア端末として検知した場合には、ブルートゥースによる通信端末１０との間の通信接続を確立する（ステップＳ６０５）。
【０１１４】
ステップＳ６０６〜Ｓ６０９は第１の実施例のステップＳ２０５〜Ｓ２０８と同様である。
【０１１５】
このように、本実施例のクレードル２０は、通信端末１０への通電電流が規定値以上である場合に通信端末１０との間でブルートゥースによる無線通信を確立する。かかる構成によれば、通信端末１０がクレードル２０に装着されていないにもかかわらず、装着時設定内容で指定された特定のアプリケーションが起動してしまうなど通信端末１０の動作態様が変更されてしまうことを確実に防止できる。しかも、電流検出という簡単な手法により通信端末１０の装着を検知することができるので、当該検知に関して複雑な処理を要しない。
【０１１６】
以下、図２３を参照しつつ、通電電流監視ルーチンについて説明する。当該サブルーチンは、ブルートゥースによるペア端末との通信接続確立（図２２のメインルーチンのステップＳ６０５）の後、装着検知部２５により定期的に実行される。
【０１１７】
先ず、装着検知部２５は、図２２のメインルーチンに対してタイマー割り込みを行なう（ステップＳ６１１）。
【０１１８】
装着検知部２５は、通電電流により通信端末１０を検出したか、すなわち通電電流が規定値以上であるか否かを判別する（ステップＳ６１２）。
【０１１９】
装着検知部２５は、通電電流が規定値以上である場合には、タイマーをリセットして当該ルーチンを終了する（ステップＳ６１３）。
【０１２０】
装着検知部２５は、通電電流が規定値よりも小さい場合には、ブルートゥース通信を切断し（ステップＳ６１４）、図２２のメインルーチンのステップＳ６０９に移行する（ステップＳ６１５）。
【０１２１】
かかる動作により、通信端末１０がクレードル２０の端末保持部２１に装着されているか否かを通電電流により定期的に判別し、通信端末１０が端末保持部２１から取り外された場合には、ブルートゥース通信を切断することができる。そして、通信端末１０に対して端末取外し検知通知を発することにより（メインルーチンのステップＳ６０９）、通信端末１０の動作態様を通常時設定内容に従って復帰させることができる。
【符号の説明】
【０１２２】
１０  通信端末
１１  表示部
１２ａ  スピーカ
１２ｂ  マイク
１３  無線通信部
１４  設定記憶部
１５  動作態様変更部
２０  クレードル
２１  端末保持部
２２  固定部
２３  受電部
２４  装着検知部
２５  無線通信部
２６  音声制御部
２７  スピーカ
２８  マイク
３０、３１  アプリケーションアイコン
３２  設定アイコン
４０  電波強度測定部
４１  検出スイッチ
４２  非接触近距離通信部
４３  端末充電用電源
４４  端末充電コネクタ
【図１】
2013135375.tif 000003
【図２】
2013135375.tif 000004
【図３】
2013135375.tif 000005
【図４】
2013135375.tif 000006
【図５】
2013135375.tif 000007
【図６】
2013135375.tif 000008
【図７】
2013135375.tif 000009
【図８】
2013135375.tif 000010
【図９】
2013135375.tif 000011
【図１０】
2013135375.tif 000012
【図１１】
2013135375.tif 000013
【図１２】
2013135375.tif 000014
【図１３】
2013135375.tif 000015
【図１４】
2013135375.tif 000016
【図１５】
2013135375.tif 000017
【図１６】
2013135375.tif 000018
【図１７】
2013135375.tif 000019
【図１８】
2013135375.tif 000020
【図１９】
2013135375.tif 000021
【図２０】
2013135375.tif 000022
【図２１】
2013135375.tif 000023
【図２２】
2013135375.tif 000024
【図２３】
2013135375.tif 000025